【事件の表示】
　特願２０１４−５２０２７１「ＶＬＣコードワードを使用したシンタックス要素のコーディング」拒絶査定不服審判事件〔平成２５年　１月１７日国際公開、ＷＯ２０１３／００９８４５、平成２６年　９月２５日国内公表、特表２０１４−５２５１８０、請求項の数（１４）〕について、次のとおり審決する。
【結　論】
　原査定を取り消す。
　本願の発明は、特許すべきものとする。
【理　由】
第１．手続の経緯
　本願は、２０１２年７月１１日（パリ条約による優先権主張　外国庁受理２０１１年７月１１日　米国、２０１１年１０月２７日　米国、２０１２年７月１０日　米国）を国際出願日とする出願であって、平成２７年６月１８日に拒絶査定がなされ、これに対し、平成２７年１０月２２日に拒絶査定に対する審判請求がなされるとともに同時に手続補正がなされたものである。
第２．補正の適否
１．補正の内容
　平成２７年１０月２２日付け手続補正（以下、「本件補正」という。）は、本件補正前の平成２７年４月９日付けの手続補正による特許請求の範囲を補正するものであり、本件補正前及び本件補正後の特許請求の範囲は、それぞれ以下のとおりである。（下線は、審判請求人が示した補正箇所である。）
　なお、以下、本件補正前の特許請求の範囲の請求項１〜１８に係る発明を項番にしたがい「補正前発明１」〜「補正前発明１８」、本件補正後の特許請求の範囲の請求項１〜１４に係る発明を項番にしたがい「補正発明１」〜「補正発明１４」という。
（補正前）
【請求項１】
　コンピューティングデバイスのプロセッサによって実行される、ビデオデータのブロックをコーディングする方法であって、
　第１のＶＬＣテーブルアレイ選択テーブルをメモリに記憶することと、
　ベクトルによって表される、前記第１のＶＬＣテーブルアレイ選択テーブルと第２のＶＬＣテーブルアレイ選択テーブルとの間の少なくとも１つの差の指示を記憶することと、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの少なくとも１つのエントリを再構成することと、
　ビデオデータの少なくとも１つのブロックをコーディングするために、前記第２のＶＬＣテーブルアレイ選択テーブルの前記再構成された少なくとも１つのエントリを使用することと
を備える、方法。
【請求項２】
　ビデオデータの前記少なくとも１つのブロックをコーディングするために、前記第２のＶＬＣテーブルアレイ選択テーブルの前記再構成された少なくとも１つのエントリを使用することが、ビデオデータの前記少なくとも１つのブロックに関連する少なくとも１つのシンタックス要素をコーディングするために、ＶＬＣテーブルの複数のアレイのうちのＶＬＣテーブルのアレイを選択するために、前記再構成された少なくとも１つのエントリを使用することを備える、請求項１に記載の方法。
【請求項３】
　前記第１のＶＬＣテーブルアレイ選択テーブルと第２のＶＬＣテーブルアレイ選択テーブルとの間の少なくとも１つの差の前記指示を記憶することが、前記第１のＶＬＣテーブルアレイ選択テーブル中の対応するエントリとは異なる前記第２のＶＬＣテーブルアレイ選択テーブル中の前記少なくとも１つのエントリの値を記憶することを備える、請求項１に記載の方法。
【請求項４】
　前記第２のＶＬＣテーブルアレイ選択テーブルの前記少なくとも１つのエントリを再構成することが、前記第１のＶＬＣテーブルアレイ選択テーブル中の前記対応するエントリを前記第２のＶＬＣテーブルアレイ選択テーブルの前記少なくとも１つのエントリと交換することを備える、請求項３に記載の方法。
【請求項５】
　前記第１のＶＬＣテーブルアレイ選択テーブルと第２のＶＬＣテーブルアレイ選択テーブルとの間の少なくとも１つの差の前記指示を記憶することが、前記第２のＶＬＣテーブルアレイ選択テーブル中の前記少なくとも１つのエントリと前記第１のＶＬＣテーブルアレイ選択テーブル中の少なくとも１つの対応するエントリとの間の差の値を記憶することを備える、請求項１に記載の方法。
【請求項６】
　前記第２のＶＬＣテーブルアレイ選択テーブルを再構成することが、前記第１のＶＬＣテーブルアレイ選択テーブル中の前記対応するエントリに前記差の前記値を加算するか、またはそこから減算することを備える、請求項５に記載の方法。
【請求項７】
　前記方法が、ビデオエンコーダによって実行される、請求項１に記載の方法。
【請求項８】
　前記方法が、ビデオデコーダによって実行される、請求項１に記載の方法。
【請求項９】
　ビデオデータの少なくとも１つのブロックをコーディングするように構成されたデバイスであって、
　第１のＶＬＣテーブルアレイ選択テーブルをメモリに記憶することと、
　ベクトルによって表される、前記第１のＶＬＣテーブルアレイ選択テーブルと第２のＶＬＣテーブルアレイ選択テーブルとの間の少なくとも１つの差の指示を記憶することと、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの少なくとも１つのエントリを再構成することと、
　ビデオデータの少なくとも１つのブロックをコーディングするために、前記第２のＶＬＣテーブルアレイ選択テーブルの前記再構成された少なくとも１つのエントリを使用することと
を行うように構成されたプロセッサを備える、デバイス。
【請求項１０】
　ビデオデータの前記少なくとも１つのブロックをコーディングするために、前記第２のＶＬＣテーブルアレイ選択テーブルの前記再構成された少なくとも１つのエントリを使用することが、ビデオデータの前記少なくとも１つのブロックに関連する少なくとも１つのシンタックス要素をコーディングするために、ＶＬＣテーブルの複数のアレイのうちのＶＬＣテーブルのアレイを選択するために、前記再構成された少なくとも１つのエントリを使用することを備える、請求項９に記載のデバイス。
【請求項１１】
　前記第１のＶＬＣテーブルアレイ選択テーブルと第２のＶＬＣテーブルアレイ選択テーブルとの間の少なくとも１つの差の前記指示を記憶することが、前記第１のＶＬＣテーブルアレイ選択テーブル中の対応するエントリとは異なる前記第２のＶＬＣテーブルアレイ選択テーブル中の前記少なくとも１つのエントリの値を記憶することを備える、請求項９に記載のデバイス。
【請求項１２】
　前記第２のＶＬＣテーブルアレイ選択テーブルの前記少なくとも１つのエントリを再構成することが、前記第１のＶＬＣテーブルアレイ選択テーブル中の前記対応するエントリを前記第２のＶＬＣテーブルアレイ選択テーブルの前記少なくとも１つのエントリと交換することを備える、請求項１１に記載のデバイス。
【請求項１３】
　前記第１のＶＬＣテーブルアレイ選択テーブルと第２のＶＬＣテーブルアレイ選択テーブルとの間の少なくとも１つの差の前記指示を記憶することが、前記第２のＶＬＣテーブルアレイ選択テーブル中の前記少なくとも１つのエントリと前記第１のＶＬＣテーブルアレイ選択テーブル中の少なくとも１つの対応するエントリとの間の差の値を記憶することを備える、請求項９に記載のデバイス。
【請求項１４】
　前記第２のＶＬＣテーブルアレイ選択テーブルを再構成することが、前記第１のＶＬＣテーブルアレイ選択テーブル中の前記対応するエントリに前記差の前記値を加算するか、またはそこから減算することを備える、請求項１３に記載のデバイス。
【請求項１５】
　前記プロセッサがビデオエンコーダを備える、請求項９に記載のデバイス。
【請求項１６】
　前記プロセッサがビデオデコーダを備える、請求項９に記載のデバイス。
【請求項１７】
　コンピューティングデバイスに、
　第１のＶＬＣテーブルアレイ選択テーブルをメモリに記憶することと、
　ベクトルによって表される、前記第１のＶＬＣテーブルアレイ選択テーブルと第２のＶＬＣテーブルアレイ選択テーブルとの間の少なくとも１つの差の指示を記憶することと、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの少なくとも１つのエントリを再構成することと、
　ビデオデータの少なくとも１つのブロックをコーディングするために、前記第２のＶＬＣテーブルアレイ選択テーブルの前記再構成された少なくとも１つのエントリを使用することと
を行わせるように構成された命令を記憶するコンピュータ可読記憶媒体。
【請求項１８】
　ビデオデータの少なくとも１つのブロックをコーディングするように構成されたデバイスであって、
　第１のＶＬＣテーブルアレイ選択テーブルをメモリに記憶するための手段と、
　ベクトルによって表される、前記第１のＶＬＣテーブルアレイ選択テーブルと第２のＶＬＣテーブルアレイ選択テーブルとの間の少なくとも１つの差の指示を記憶するための手段と、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの少なくとも１つのエントリを再構成するための手段と、
　ビデオデータの少なくとも１つのブロックをコーディングするために、前記第２のＶＬＣテーブルアレイ選択テーブルの前記再構成された少なくとも１つのエントリを使用するための手段と
を備える、デバイス。
（補正後）
【請求項１】
　コンピューティングデバイスのプロセッサによって実行される、ビデオデータのブロックをコーディングする方法であって、
　第１のＶＬＣテーブルアレイ選択テーブルをメモリに記憶することと、
　前記第１のＶＬＣテーブルアレイ選択テーブルと第２のＶＬＣテーブルアレイ選択テーブルとの間の少なくとも１つの差の指示を記憶することと、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの
一部
ここにおいて、前記一部のエントリは、前記差の前記記憶された指示に基づく、
　ビデオデータの少なくとも１つのブロックをコーディングするために、前記第２のＶＬＣテーブルアレイ選択テーブルの前記再構成された
一部
を備える、方法。
【請求項２】
　ビデオデータの前記少なくとも１つのブロックをコーディングするために、前記第２のＶＬＣテーブルアレイ選択テーブルの前記再構成された少なくとも１つのエントリを使用することが、ビデオデータの前記少なくとも１つのブロックに関連する少なくとも１つのシンタックス要素をコーディングするために、ＶＬＣテーブルの複数のアレイのうちのＶＬＣテーブルのアレイを選択するために、前記再構成された少なくとも１つのエントリを使用することを備える、請求項１に記載の方法。
【請求項３】
　前記第１のＶＬＣテーブルアレイ選択テーブルと第２のＶＬＣテーブルアレイ選択テーブルとの間の少なくとも１つの差の前記指示を記憶することが、前記第２のＶＬＣテーブルアレイ選択テーブル中の前記少なくとも１つのエントリと前記第１のＶＬＣテーブルアレイ選択テーブル中の少なくとも１つの対応するエントリとの間の差の値を記憶することを備える、請求項１に記載の方法。
【請求項４】
　前記第２のＶＬＣテーブルアレイ選択テーブルを再構成することが、前記第１のＶＬＣテーブルアレイ選択テーブル中の前記対応するエントリに前記差の前記値を加算するか、またはそこから減算することを備える、請求項
３
【請求項５】
　前記方法が、ビデオエンコーダによって実行される、請求項１に記載の方法。
【請求項６】
　前記方法が、ビデオデコーダによって実行される、請求項１に記載の方法。
【請求項７】
　ビデオデータの少なくとも１つのブロックをコーディングするように構成されたデバイスであって、
　第１のＶＬＣテーブルアレイ選択テーブルをメモリに記憶することと、
　前記第１のＶＬＣテーブルアレイ選択テーブルと第２のＶＬＣテーブルアレイ選択テーブルとの間の少なくとも１つの差の指示を記憶することと、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの
一部
ここにおいて、前記一部のエントリは、前記差の前記記憶された指示に基づく、
　ビデオデータの少なくとも１つのブロックをコーディングするために、前記第２のＶＬＣテーブルアレイ選択テーブルの前記再構成された
一部
を行うように構成されたプロセッサを備える、デバイス。
【請求項８】
　ビデオデータの前記少なくとも１つのブロックをコーディングするために、前記第２のＶＬＣテーブルアレイ選択テーブルの前記再構成された少なくとも１つのエントリを使用することが、ビデオデータの前記少なくとも１つのブロックに関連する少なくとも１つのシンタックス要素をコーディングするために、ＶＬＣテーブルの複数のアレイのうちのＶＬＣテーブルのアレイを選択するために、前記再構成された少なくとも１つのエントリを使用することを備える、請求項
７
【請求項９】
　前記第１のＶＬＣテーブルアレイ選択テーブルと第２のＶＬＣテーブルアレイ選択テーブルとの間の少なくとも１つの差の前記指示を記憶することが、前記第２のＶＬＣテーブルアレイ選択テーブル中の前記少なくとも１つのエントリと前記第１のＶＬＣテーブルアレイ選択テーブル中の少なくとも１つの対応するエントリとの間の差の値を記憶することを備える、請求項
７
【請求項１０】
　前記第２のＶＬＣテーブルアレイ選択テーブルを再構成することが、前記第１のＶＬＣテーブルアレイ選択テーブル中の前記対応するエントリに前記差の前記値を加算するか、またはそこから減算することを備える、請求項
９
【請求項１１】
　前記プロセッサがビデオエンコーダを備える、請求項
７
【請求項１２】
　前記プロセッサがビデオデコーダを備える、請求項
７
【請求項１３】
　コンピューティングデバイスに、
　第１のＶＬＣテーブルアレイ選択テーブルをメモリに記憶することと、
　前記第１のＶＬＣテーブルアレイ選択テーブルと第２のＶＬＣテーブルアレイ選択テーブルとの間の少なくとも１つの差の指示を記憶することと、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの
一部
ここにおいて、前記一部のエントリは、前記差の前記記憶された指示に基づく、
　ビデオデータの少なくとも１つのブロックをコーディングするために、前記第２のＶＬＣテーブルアレイ選択テーブルの前記再構成された
一部
を行わせるように構成された命令を記憶するコンピュータ可読記憶媒体。
【請求項１４】
　ビデオデータの少なくとも１つのブロックをコーディングするように構成されたデバイスであって、
　第１のＶＬＣテーブルアレイ選択テーブルをメモリに記憶するための手段と、
　前記第１のＶＬＣテーブルアレイ選択テーブルと第２のＶＬＣテーブルアレイ選択テーブルとの間の少なくとも１つの差の指示を記憶するための手段と、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの
一部
ここにおいて、前記一部のエントリは、前記差の前記記憶された指示に基づく、
　ビデオデータの少なくとも１つのブロックをコーディングするために、前記第２のＶＬＣテーブルアレイ選択テーブルの前記再構成された
一部
を備える、デバイス。
２．補正事項
　本件補正により、請求項３、４、１１及び１２が削除され、これに伴い補正後の請求項の番号が補正された。これは、特許法第１７条の２第５項第１号（請求項の削除）を目的とする補正である。
　また、本件補正は、補正前発明１、９、１７、及び１８における第２のＶＬＣテーブルアレイ選択テーブルのエントリの再構成に関し、補正前の「少なくとも１つのエントリ」を「一部のエントリ」とするとともに、該「一部のエントリ」について、「ここにおいて、前記一部のエントリは、前記差の前記記憶された指示に基づく、」とする補正事項を含んでいる。この補正事項は、本件明細書の段落【００６６】〜【００６７】の記載に基づくものであり、「少なくとも１つのエントリ」を「一部のエントリ」という同等の表現に変えるとともに「差の前記記憶された指示に基づく」との限定を行うものであるから、特許法第１７条の２第５項第２号（限定的減縮）を目的とする補正である。また、当該補正事項によって発明の特別な技術的特徴は変更されていない。
　したがって、本件補正は、特許法第１７条の２第３項〜第５項の規定に適合している。
３．独立特許要件
　上述のとおり、本件補正は特許請求の範囲の減縮を目的とする補正事項を含むことから、補正後の発明が特許出願の際独立して特許を受けることができるものであるのかどうかについて以下に検討する。
（１）補正発明１について
（１−１）補正発明１
　補正発明１を以下に再掲し、説明のために（Ａ）ないし（Ｆ）の記号を当審において付与した。以下、構成Ａ、構成Ｂ等と称することにする。
（Ａ）コンピューティングデバイスのプロセッサによって実行される、ビデオデータのブロックをコーディングする方法であって、
（Ｂ）第１のＶＬＣテーブルアレイ選択テーブルをメモリに記憶することと、
（Ｃ）前記第１のＶＬＣテーブルアレイ選択テーブルと第２のＶＬＣテーブルアレイ選択テーブルとの間の少なくとも１つの差の指示を記憶することと、
（Ｄ）前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの一部のエントリを再構成することと、ここにおいて、前記一部のエントリは、前記差の前記記憶された指示に基づく、
（Ｅ）ビデオデータの少なくとも１つのブロックをコーディングするために、前記第２のＶＬＣテーブルアレイ選択テーブルの前記再構成された一部のエントリを使用することと
（Ｆ）を備える、方法。
（１−２）引用発明及び引用文献の記載
（１−２−１）引用文献１について
　原査定の理由に引用された上記引用文献１であるSunil Lee, et.al., Efficient coefficient coding method for large transform in VLC mode, [online], 5 Oct. 2010, Joint Collaborative Team on Video Coding (JCT-VC) of ITU-T SG16 WP3 and ISO/IEC JTC1/SC29/WG11, Document: JCTVC-C210（version 2）には、図面とともに以下の事項が記載されている。
　
ア．「2.2 Efficient coding of last non-zero coefficient in large transforms
Table 1 shows the mapping table of the VLC table indices used to code the last_pos in 16x16 transform. As shown in the table, different VLC table is used for the last_pos coding according to the color component, slice type, PU type, and the last_nonzero_pos_vlc_idxl6 variable. The definition, intialization, and update of the variable last_nonzero_pos_vlc_idx16 are exactly the same as those of the variable last_nonzero_pos_vlc_idx given in Section 3.6.1.2 of [5]. Note that the VLC3 and VLC4 tables are used to code the last_pos in 32x32 and 64x64 transforms, respectively, without the adaptation.」
（邦訳）
　「２．２　大きな変換における最後の非ゼロ係数の効率的なコーディング
表１は、16x16変換におけるlast_posを符号化するために使用されるVLCテーブルインデックスのマッピングテーブルを示している。表に示すように、色成分、スライスタイプ、ＰＵタイプ、及びlast_nonzero_pos_vlc_idx16変数にしたがって、異なるVLCテーブルがlast_pos符号化に使用される。変数last_nonzero_pos_vlc_idx16の定義、初期化、及び更新は、［５］の３．６．１．２節で与えられた変数last_nonzero_pos_vlc_idxの定義、初期化、及び更新と同じである。VLC3及びVLC4テーブルは、適応なしで、それぞれ32x32 および64x64変換のlast_posを符号化するために使用されることに留意されたい。」
イ．「
」
（邦訳）
「表１　１６×１６変換における最後の非ゼロ係数のためのVLCテーブルインデックス
　（表１　省略）」
　上記ア．〜イ．の記載及び関連する図面並びにこの分野における技術常識を考慮して引用文献１の記載を検討する。
　
（i）引用文献１は、「Joint Collaborative Team on Video Coding (JCT-VC) of ITU-T SG16 WP3 and ISO/IEC JTC1/SC29/WG11」という会議における規格提案文書であることから、ビデオコーディングに関する技術について記載されたものである。そして、上記ア．に「２．２　大きな変換における最後の非ゼロ係数の効率的なコーディング」と記載されるように、変換に係る「コーディング」（符号化）技術について記載がある。上記ア．では、16x16変換における符号化について記載されているが、この「16x16」が、コーディング対象データ（すなわち、ビデオコーディングのためのデータであるからビデオデータであると認められる。）のブロックを表していることは符号化における技術常識である。
　したがって、引用文献には、「ビデオデータのブロックをコーディングする方法」について記載されているといえる。
（ii）上記ア．に記載されるように、引用文献１には、表１に16x16変換における符号化に使用するVLCテーブルインデックスのマッピングテーブルが示されている。この表１は、例えば、last_nonzero_pos_vlc_idx16の０〜１６の値に対してChroma(U)行のVLCテーブルインデックス（１０や２等）がマッピングされており、last_nonzero_pos_vlc_idx16の値によりVLCテーブルインデックスに対応するVLCテーブルが選択されてChroma(U)の符号化が行われる。
　ここで、表１の前記last_nonzero_pos_vlc_idx16行及びChroma(U)行により構成されるテーブルは、Chroma(U)に係るVLCテーブルを選択するためのテーブルとなる。同様に表１の前記last_nonzero_pos_vlc_idx16行及びChroma(V)行により構成されるテーブルは、Chroma(V)に係るVLCテーブルを選択するためのテーブルとなる。そして、それぞれ16x16のブロックのChroma(U)、Chroma(V)を符号化（コーディング）するために、上記２つのテーブルにおいてマッピングされたVLCテーブルインデックス（１０や２等）が用いられる。
（iii）上記（i）、（ii）のとおり、引用文献１には、以下の発明（以下、「引用発明」という。）が開示されている。なお、説明のために（ａ）ないし（ｆ）の記号を当審において付与した。以下、構成ａ、構成ｂ等と称することにする。
（引用発明）
（ａ）ビデオデータのブロックをコーディングする方法であって、
（ｂ）Chroma(U)に係るVLCテーブルを選択するためのテーブルを有することと、
（ｃ）Chroma(V)に係るVLCテーブルを選択するためのテーブルを有することと、
（ｄ）ビデオデータのブロックをコーディングするために、それぞれのテーブルのVLCテーブルインデックスが用いられることと
（ｅ）を備える、方法。
（１−２−２）引用文献２
　原査定の理由に引用された上記引用文献２である特開２０００−１３４４９５号公報には、「色補正装置」（発明の名称）として図面とともに以下の事項が記載されている。なお、下線は当審が強調のために付したものである。
　
ウ．「【０００９】
【発明の実施の形態】以下、本発明を図面に示した形態例によって詳細に説明する。
［第１の実施の形態］第１の実施の形態では、
ある一つの色補正参照テーブルの色補正値を基準値とし、この基準値を用いてその他の色補正参照テーブルの色補正値を構成する一つの方式を挙げる。
基準値である印刷絵柄用色補正値Ｃ
i
（ｉ＝１，・・・，８）と印画紙絵柄用色補正値Ｃ’
i
（ｉ＝１，・・・，８）との差分Ｃ＾
i 
＝Ｃ’
i
−Ｃ
i
をとり、
エ．「【００１１】［第２の実施の形態］第２の実施の形態では、ある一つの色補正参照テーブルの色補正値を基準値とし、基準値を用いてその他の色補正参照テーブルの色補正値を構成する、第１の実施の形態とは異なるもう一つの方式を挙げる。色補正参照テーブルは原稿種に対応しているものとし、印刷絵柄用の色補正値を基準値とする。図４は印画紙絵柄用の色補正値構成方式の一例（方式２）であり、第１の実施の形態の場合と同様、説明を簡単にするために、入力色空間の一つの単位立方体に限定して構成方式を示している。
この方式で２は、第１の実施の形態における前記差分値Ｃ＾
i
（ｉ＝１，・・・，８）を予め求めておき、前記基準値Ｃ
i 
と足しあわせることによって印画紙絵柄用色補正値Ｃ’
i 
を算出する。この場合、メモリには印刷絵柄用色補正値Ｃ
i 
（ｉ＝１，・・・，８）に加えて、差分値Ｃ＾
i
（ｉ＝１，・・・，８）を格納しておけばよい。
同図に示すように、一データあたりの記憶に要するビット数を削減することができる。これは、色補正値そのものよりも差分値の方が格段に小さい値であり、より少ないビット数で十分であるためである。
オ．「【図５】
」
　上記ウ．〜オ．の記載及び関連する図面並びにこの分野における技術常識を考慮すると、引用文献２には以下の技術事項が記載されている。
（引用文献２記載の技術事項）
「印刷絵柄用補正値Ｃi（ｉ＝１，・・・，８）と印画紙絵柄用補正値Ｃ’i （ｉ＝１，・・・，８）を用いて色補正を行う色補正方法において、
　印刷絵柄用補正値Ｃi と印画紙絵柄用色補正値Ｃ’i との差分Ｃ＾i＝Ｃ’i−Ｃiを予め求め、基準値である印刷絵柄用補正値Ｃi（ｉ＝１，・・・，８）と差分値Ｃ＾i（ｉ＝１，・・・，８）とをメモリに格納しておき、前記基準値Ｃiと差分値Ｃ＾iを足しあわせることによって印画紙絵柄用色補正値Ｃ’iを算出する色補正方法。」
（１−２−３）引用文献３の記載
　原査定の理由に引用された上記引用文献３である特開２００８−４８０９８号公報には、「画像処理装置、ルックアップテーブルの設定方法」（発明の名称）として図面とともに以下の事項が記載されている。なお、下線は当審が強調のために付したものである。
　
カ．「（実施の形態４）
【０２２６】
  図１９は、本発明の実施の形態４に係る画像処理装置の機能構成を示している。
【０２２７】
  図１９に示すように、画像処理装置４０は、画像処理回路２００と、
テーブル情報を格納するメモリ等の外部記憶領域２１０とを有している
　（中略）
【０２３５】
  
外部記憶領域（基本テーブル記憶手段、補間テーブル記憶手段）２１０は、所定の画像処理に対応する基本テーブルを記憶するとともに、この基本テーブルと設定すべき所定のルックアップテーブルとの差分の結果としての補間テーブルを記憶する。
　（中略）
【０２３８】
  例えば、画像処理装置４０において、図２０に示すように第１のＬＵＴ（ＬＵＴ１）２２１と第２のＬＵＴ（ＬＵＴ２）２２２とを実装する場合は、
基本テーブルを第１のＬＵＴ２２１とし、第２のＬＵＴ２２２は第１のＬＵＴ２２１と補間テーブル２３０のデータ（補間テーブルデータ）とを基に作成する。
　（中略）
【０２６１】
  
ＬＵＴ設定値演算回路２０３は、第１のＤＭＡコントローラ２０１の出力である基本テーブルデータと第２のＤＭＡコントローラ２０２の出力である補間テーブルデータ（補間情報）とを基に、第１の画像処理用ＬＵＴ２０５に設定すべき第２のＬＵＴ（ＬＵＴ２）２２２の値（ＬＵＴ設定値）をファームウェアで設定された演算方法で演算し（ステップＳ４０４）、この得算した結果をＬＵＴ演算制御回路２０４へ出力する。
　（中略）
【０２６９】
  本実施の形態４では、
設定すべきＬＵＴを求めるためのＬＵＴ設定値演算回路２０３による演算処理は、加算回路による加算処理とした
「【図２１】
」
　上記カ．〜キ．の記載及び関連する図面並びにこの分野における技術常識を考慮すると、引用文献３には以下の技術事項が記載されている。
（引用文献３記載の技術事項）
　「第１のルックアップテーブル及び第２のルックアップテーブルを用いて画像処理を行う方法において、
　第１のルックアップテーブルのデータと第２のルックアップテーブルのデータとの差分を補間テーブルのデータとし、基本テーブルである第１のルックアップテーブルと補間テーブルをメモリに格納しておき、基本テーブルである第１のルックアップテーブルの基本テーブルデータと補間テーブルデータとを加算して第２のルックアップテーブルデータを演算する画像処理方法。」
（１−２−４）引用文献４及び引用文献５の記載
　原査定の理由に引用された上記引用文献４であるKemal Ugur, et.al., Appendix to Description of video coding technology proposal by Tandberg Nokia Ericsson, [online], 23 April 2010, Joint Collaborative Team on Video Coding (JCT-VC) of ITU-T SG16 WP3 and ISO/IEC JTC1/SC29/WG11,Document: JCTVC-A119_Appendix_Decoder_Descriptionには、図面とともに以下の事項が記載されている。
ク．「3.6.1.2 Position,levelID, and sign of the last nonzero transform coefficient
 （中略）
The VLC table number,n (in VLCn) to be used is determined as follows:
VLC table number depends on idx that is defined in 3.x.x and context variable last_non_zero_idx[idx]. Entries of last_non_zero_vlc_idx: are initially 0 and are updated as the vlc codes are decoded. Table 17 lists the VLC table numbers to be used. To get a VLC table number, idx is used to select a row and nonzero_pos_vlc_idx[idx] indicates individual the element on the row. If nonzero_pos_vlc_idx[idx] is bigger than 16, the last element on the selected row is used.」
（邦訳）
「３．６．１．２　最後の非ゼロ変換係数の位置、レベルＩＤ及び符号
　（中略）
使用されるVLCテーブル番号ｎ（VLCnにおける）は、以下のように決定される。
VLCテーブル番号は、3.x.xで定義されたidxとコンテキスト変数last_non_zero_idx[idx]によって決まる。last_non_zero_idxのエントリは、最初は０であり、vlcテーブル番号を得るために、idxは行を選択するために使用され、nonzero_pos_vlc_idx[idx]は、行の要素を個別に示す。nonzero_pos_vlc_idx[idx]が１６より大きい場合、選択された行の最後の要素が使用される。」
ケ．「
」
（邦訳）
「表１７　last_nonzero係数のためのVLCテーブル番号
　（表１７　省略）」
　また、原査定の理由に引用された上記引用文献５であるTest Model under Consideration（Output Document (draft000)）, [online], 28 July 2010, Joint Collaborative Team on Video Coding (JCT-VC) of ITU-T SG16 WP3 and ISO/IEC JTC1/SC29/WG11, Document: JCTVC-B205には、図面とともに以下の事項が記載されている。
コ．「6,2.2.1 Parsing process for the position of last non-zero coefficient
Input to this process is context variable array lastPosVLC_idx.
The last_pos_table_idx syntax element is decoded from the bitstream using VLC table given by lpVLCTable[lastPosVLC_idx[ctxID]]. The values of VLC table array lpVLCTable is given in the below table」
（邦訳）
「６．２．２．１　最後の非ゼロ係数の位置のための解析プロセス」
このプロセスへの入力は、コンテキスト変数アレイlastPosVLC_idxである。
last_Pos_table_idx構文要素は、lpVLCTable[lastPosVLC_idx[ctxID]]によって与えられるVLCテーブルを使用してビットストリームから復号される。VLCテーブル配列lpVLCTableの値は下の表に示される。」
サ．「
」
（邦訳）
「最後の非ゼロ係数のためのVLCテーブル番号」
　（表　省略）」
　以上のとおり、引用文献４及び引用文献５には、VLCテーブルに関して同様な記載があり、上記ク．〜サ．の記載及び関連する図面並びにこの分野における技術常識を考慮すると、以下の技術事項が開示されているといえる。
　
（引用文献４及び引用文献５記載の技術事項）
　「一のインデックスに係る最後の非ゼロ係数のためのVLCテーブルを選択するためのテーブルを有することと、
　他のインデックスに係る最後の非ゼロ係数のためのVLCテーブルを選択するためのテーブルを有することと、
　それぞれのテーブルのVLCテーブルインデックスが用いられることと
　を備える、方法。」
（１−３）対比
　補正発明１と引用発明とを対比する。
（i）補正発明１の構成Ａ、Ｆと引用発明の構成ａ、ｅの対比
　引用発明のビデオデータのコーディングが、計算機要素のプロセッサによって行われることは自明のことに過ぎないので、引用発明の構成ａ「ビデオデータのブロックをコーディングする方法であって、」と補正発明１の構成Ａ「コンピューティングデバイスのプロセッサによって実行される、ビデオデータのブロックをコーディングする方法であって、」は一致する。したがって、引用発明と補正発明１の「方法」は、コーディングする「方法」である点で一致する。
（ii）補正発明１の構成Ｂと引用発明の構成ｂの対比
　引用発明の「VLCテーブルを選択するためのテーブル」は、last_nonzero_pos_vlc_idx16変数の値（０〜１６）に応じて複数のテーブルの配列を選択するものであるから、VLCテーブルアレイを選択するテーブルということができ、また、引用発明の「Chroma(U)に係るVLCテーブル」を引用発明の構成ｃの「Chroma(V)に係るVLCテーブル」と区別するために前者を「第１のVLCテーブル」、後者を「第２のVLCテーブル」と呼称することは任意である。
　また、引用発明のコーディングが、計算機要素において行われることは自明であるから、テーブルは計算機要素のメモリに記憶されるものである。
　したがって、引用発明の構成ｂ「Chroma(U)に係るVLCテーブルを選択するためのテーブルを有することと、」と補正発明１の構成Ａ「第１のＶＬＣテーブルアレイ選択テーブルをメモリに記憶することと、」は一致する。
（iii）補正発明１の構成Ｃ、Ｄ、Ｅと引用発明の構成ｃ、ｄの対比
　上記（ii）で検討したことを踏まえれば、引用発明の構成ｃにおける「Chroma(V)に係るVLCテーブルを選択するためのテーブル」は、補正発明１における「第２のＶＬＣテーブルアレイ選択テーブル」に相当するものであって、メモリに記憶されるものである。
　そして、引用発明では構成ｄのように「ビデオデータのブロックをコーディングするために、それぞれのテーブルのVLCテーブルインデックスが用いられる」のであるから、一方の「Chroma(V)に係るVLCテーブルを選択するためのテーブル」の「VLCテーブルインデックス」（すなわち「エントリ」）はビデオデータのコーディングに用いられている。
　したがって、補正発明１の構成Ｃ、Ｄ、Ｅと引用発明の構成ｃ、ｄとは、「ビデオデータの少なくとも１つのブロックをコーディングするために、第２のＶＬＣテーブルアレイ選択テーブルのエントリを使用することと」で共通する。
　しかしながら、補正発明１では、「前記第１のＶＬＣテーブルアレイ選択テーブルと第２のＶＬＣテーブルアレイ選択テーブルとの間の少なくとも１つの差の指示を記憶することと、前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの一部のエントリを再構成することと、ここにおいて、前記一部のエントリは、前記差の前記記憶された指示に基づく、」の構成を有し、ビデオデータの少なくとも１つのブロックをコーディングするために、前記第２のＶＬＣテーブルアレイ選択テーブルのエントリを使用する際に、「前記再構成された一部のエントリを使用する」ようにしているのに対し、引用発明では、第２のＶＬＣテーブルアレイ選択テーブルをメモリに記憶しているため、再構成するための構成を必要とせず、前記第２のＶＬＣテーブルアレイ選択テーブルのエントリを使用する際に、記憶されたエントリを使用している点で相違している。
（iv）まとめ
　上記（i）〜（iii）によれば、補正発明１と引用発明は、以下の点で一致ないし相違している。
　
＜一致点＞
　「コンピューティングデバイスのプロセッサによって実行される、ビデオデータのブロックをコーディングする方法であって、
　第１のＶＬＣテーブルアレイ選択テーブルをメモリに記憶することと、
　ビデオデータの少なくとも１つのブロックをコーディングするために、第２のＶＬＣテーブルアレイ選択テーブルのエントリを使用することと
を備える、方法。」
　
＜相違点＞
（相違点）
　補正発明１では、「前記第１のＶＬＣテーブルアレイ選択テーブルと第２のＶＬＣテーブルアレイ選択テーブルとの間の少なくとも１つの差の指示を記憶することと、
　前記第１のＶＬＣテーブルアレイ選択テーブルと第２のＶＬＣテーブルアレイ選択テーブルとの間の前記差の前記記憶された指示を使用して、前記第１のＶＬＣテーブルアレイ選択テーブルに基づいて、前記第２のＶＬＣテーブルアレイ選択テーブルの一部のエントリを再構成することと、ここにおいて、前記一部のエントリは、前記差の前記記憶された指示に基づく、」の構成を有し、ビデオデータの少なくとも１つのブロックをコーディングするために、前記第２のＶＬＣテーブルアレイ選択テーブルのエントリを使用する際に、「前記再構成された一部のエントリを使用する」ようにしているのに対し、引用発明では、第２のＶＬＣテーブルアレイ選択テーブルをメモリに記憶しているため、再構成するための構成を必要とせず、前記第２のＶＬＣテーブルアレイ選択テーブルのエントリを使用する際に、記憶されたエントリを使用している点で相違する。
（１−４）当審の判断
　相違点について検討する。
　引用発明では、補正発明１の「第１のＶＬＣテーブルアレイ選択テーブル」、「第２のＶＬＣテーブルアレイ選択テーブル」にそれぞれ相当する、「Chroma(U)に係るVLCテーブルを選択するためのテーブル」、「Chroma(V)に係るVLCテーブルを選択するためのテーブル」をそれぞれメモリに記憶している。そして、ビデオデータのブロックをコーディングするために、「Chroma(V)に係るVLCテーブル」（第２のＶＬＣテーブルアレイ選択テーブル）のVLCテーブルインデックス（エントリ）が必要なときには、「Chroma(V)に係るVLCテーブル」（第２のＶＬＣテーブルアレイ選択テーブル）に記憶された「VLCテーブルインデックス」（エントリ）そのものが用いられている。
　ここで、引用文献２には、上記（１−２−２）に示したとおり、
「印刷絵柄用補正値Ｃi（ｉ＝１，・・・，８）と印画紙絵柄用補正値Ｃ’i （ｉ＝１，・・・，８）を用いて色補正を行う色補正方法において、
　印刷絵柄用補正値Ｃi と印画紙絵柄用色補正値Ｃ’i との差分Ｃ＾i＝Ｃ’i−Ｃiを予め求め、基準値である印刷絵柄用補正値Ｃi（ｉ＝１，・・・，８）と差分値Ｃ＾i（ｉ＝１，・・・，８）とをメモリに格納しておき、前記基準値Ｃiと差分値Ｃ＾iを足しあわせることによって印画紙絵柄用色補正値Ｃ’iを算出する色補正方法。」
という技術事項が、また、引用文献３には、上記（１−２−３）に示したとおり、
　「第１のルックアップテーブル及び第２のルックアップテーブルを用いて画像処理を行う方法において、
　第１のルックアップテーブルのデータと第２のルックアップテーブルのデータとの差分を補間テーブルのデータとし、基本テーブルである第１のルックアップテーブルと補間テーブルをメモリに格納しておき、基本テーブルである第１のルックアップテーブルの基本テーブルデータと補間テーブルデータとを加算して第２のルックアップテーブルデータを演算する画像処理方法。」
という技術事項が記載されている。
　このように、引用文献２及び引用文献３に記載の技術事項は、『複数のテーブルのデータをメモリに格納するにあたり、メモリの量を削減するために、一のテーブルのデータを基本テーブルデータとし、他のテーブルのデータについては基本テーブルデータとの差分データを予め計算して差分データを格納し、他のテーブルが必要な際に、基本テーブルデータと前記差分データとにより他のテーブルを再構成する』というものであって、テーブルの「データ」に係るメモリの削減を目的としており、また、他のテーブルの再構成は、テーブル全体のデータを対象としている。
　一方、上述したように、引用発明の各VLCテーブルのエントリは「VLCテーブルインデックス」であることから、引用文献２及び引用文献３に記載の技術事項のように「データ」（数値）をエントリとしたものでなく、引用発明と引用文献２及び引用文献３記載の技術事項とは、テーブルのエントリの対象が相違している。
　また、引用発明の「VLCテーブルインデックス」により指示される「VLCテーブル」は、コーディングする際に用いられるものであって、適用されるVLCテーブルが１つ選択されて用いられるものである。これに対し、引用文献２及び引用文献３に記載の技術事項は、テーブル全体のデータを再構成したのち、テーブル全体の数値を特定の処理（色補正や画像処理）に用いるようにしている。このように、引用発明と引用文献２及び引用文献３記載の技術事項とは、テーブルのエントリの再構成における対象の範囲が相違している。
　したがって、引用発明と引用文献２及び引用文献３記載の技術事項とを組み合わせることには論理の飛躍があり、相違点の構成を当業者が容易に想到し得たものとすることはできない。
　なお、引用文献４及び引用文献５には、上記（１−２−４）に示したとおり、
　「一のインデックスに係る最後の非ゼロ係数のためのVLCテーブルを選択するためのテーブルを有することと、
　他のインデックスに係る最後の非ゼロ係数のためのVLCテーブルを選択するためのテーブルを有することと、
　それぞれのテーブルのVLCテーブルインデックスが用いられることと
　を備える、方法。」
という技術事項が記載されており、引用発明と類似した技術を開示するものの、相違点に係る構成を記載もしくは示唆するものではない。
　また、平成２７年１１月２０日付け前置報告書に引用された引用文献６（国際公開第２０１０／１４６７８６号）、引用文献７（特表２００９−５１２０７５号）、引用文献８（特開２０００−２４４７５２号）は、「加算を行う際に、ゼロを加算する処理は省略する技術」を開示するものの、相違点に係る構成を記載もしくは示唆するものではない。
　
　以上のとおりであるから、補正発明１が、引用発明及び引用文献２〜８記載の技術事項に基いて当業者が容易に発明をすることができたものとはいえない。
（２）請求項２ないし請求項１４について
　補正発明７、補正発明１３、及び補正発明１４は、補正発明１と発明のカテゴリや対象が相違（補正発明７、補正発明１４は「デバイス」、補正発明１３は「コンピュータ可読記憶媒体」）する発明であって、それらの発明は、補正発明１の構成Ｂ〜構成Ｅと略同一の構成を有するものであるから、上記（１−３）における相違点と同様の相違点を有しており、上記（１−４）における判断と同じ理由により引用発明及び引用文献２〜８に記載の技術事項に基いて当業者が容易に発明をすることができたものとはいえない。
　また、補正発明２〜補正発明６は、直接的あるいは間接的に補正発明１を引用する発明であり、補正発明８〜補正発明１１は、直接的あるいは間接的に補正発明７を引用する発明であるから、それらの補正発明も、上記（１−３）における相違点と同様の相違点を有しており、上記（１−４）における判断と同じ理由により引用発明及び引用文献２〜８に記載の技術事項に基いて当業者が容易に発明をすることができたものとはいえない。
（３）小括
　以上のとおりであるから、補正発明１〜１４は特許出願の際独立して特許を受けることができるものである。よって、本件補正は、特許法第１７条の２第６項において準用する同法第１２６条第７項の規定に適合する。
　
４．むすび
　本件補正は、特許法第１７条の２第３項〜第６項の規定に適合する。
　
第３．本願発明について
　本件補正は上記のとおり、特許法第１７条の２第３項〜第６項の規定に適合するから、本願の請求項１〜１４に係る発明は、本件補正により補正された特許請求の範囲１〜１４に記載された事項により特定されるとおりのものである。
　そして、本願については、原査定の拒絶理由を検討してもその理由によって拒絶すべきものとすることはできない。
　また、他に本願を拒絶するべき理由を発見しない。
　よって、結論のとおり審決する。